(57)【要約】【課題】  画像表示を適切に行ってスイッチ操作支援の性能を向上させることが可能な表示装置及びその表示制御方法を提供する。【解決手段】  表示装置１は、ユーザからの操作により、ディスプレイに表示される各表示項目１０１のいずれかの選択を受け付けるものである。この表示装置１は、ユーザからの操作を複数の操作部２０により受け付け、複数の操作部２０のいずれに対しユーザからの操作があったかを検出する。そして、表示装置１は、過去から現在にかけてのユーザからの操作に基づいて、複数の操作部２０それぞれに対する操作頻度を判定する。次いで、表示装置１は、操作頻度の判定結果に応じて、各表示項目１０１の少なくとも１つの表示方法を変更してディスプレイ１０に表示させる。【選択図】      図１
2006011937.tif 000002
【特許請求の範囲】
【請求項１】
ユーザからの操作により、ディスプレイに表示される各表示項目のいずれかの選択を受け付ける表示装置において、
ユーザからの操作を受け付ける複数の操作手段と、
前記複数の操作手段のいずれに対しユーザからの操作があったかを検出する操作検出手段と、
過去から現在にかけて前記操作検出手段により検出されたユーザからの操作に基づいて、前記複数の操作手段それぞれに対する操作頻度を判定する判定手段と、
前記判定手段による判定結果に応じて、前記各表示項目の少なくとも１つの表示方法を変更して前記ディスプレイに表示させる表示制御手段と、
を備えることを特徴とする表示装置。
【請求項２】
前記複数の操作手段は、
前記ディスプレイの画面上に設けられ、表示項目と重なる部分が押圧されることにより該表示項目を選択可能なタッチパネルスイッチと、
回転操作により画面表示を切り替えて新たな表示項目を表示させる操作が可能なダイヤル式操作スイッチと、
押圧操作により画面上に表示される選択カーソルを移動させて表示項目を選択可能な多方向スイッチとのうち、少なくとも２つを有する
ことを特徴とする請求項１に記載の表示装置。
【請求項３】
前記複数の操作手段は、前記ダイヤル式操作スイッチを含み、
前記表示制御手段は、前記判定手段により前記ダイヤル式操作スイッチの操作頻度が所定頻度以上であると判定された場合、画面表示を切り替えて新たな表示項目を表示させるための表示項目を、前記ダイヤル式操作スイッチの操作頻度が所定頻度未満であると判定されたときよりも、強調表示する
ことを特徴とする請求項２に記載の表示装置。
【請求項４】
前記複数の操作手段は、前記タッチパネルスイッチを含み、
前記表示制御手段は、前記判定手段により前記タッチパネルスイッチの操作頻度が所定頻度以上であると判定された場合、前記ディスプレイにより表示される各表示項目を、前記タッチパネルスイッチの操作頻度が所定頻度未満であると判定されたときよりも、大きく表示させる
ことを特徴とする請求項２に記載の表示装置。
【請求項５】
前記表示制御手段は、表示方法を変更して前記ディスプレイに表示させるにあたり、ユーザからの同意操作を条件に変更表示させることを特徴とする請求項１〜請求項４のいずれか１項に記載の表示装置。
【請求項６】
ユーザを検出するユーザ検出手段を更に備え、
前記操作検出手段は、前記ユーザ検出手段によりユーザ毎に、前記複数の操作手段のいずれに対し操作があったかを検出し、
前記判定手段は、ユーザ毎に操作頻度を判定し、
前記表示制御手段は、ユーザ毎の操作頻度に応じて、表示方法を変更して前記ディスプレイに表示させる
ことを特徴とする請求項１〜請求項５のいずれか１項に記載の表示装置。
【請求項７】
ユーザからの操作により、ディスプレイに表示される各表示項目のいずれかの選択を、複数の操作手段から受け付ける表示装置の表示制御方法において、
複数の操作手段のいずれに対しユーザからの操作があったかを検出する操作検出ステップと、
過去から現在にかけて操作検出ステップにて検出されたユーザからの操作に基づいて、複数の操作手段それぞれに対する操作頻度を判定する判定ステップと、
前記判定ステップによる判定結果に応じて、前記各表示項目の少なくとも１つの表示方法を変更して前記ディスプレイに表示させる表示制御ステップと、
を備えることを特徴とする表示装置の表示制御方法。
【発明の詳細な説明】
【技術分野】
【０００１】
本発明は、表示装置及びその表示制御方法に関する。
【背景技術】
【０００２】
従来、スイッチの配列と対応させてディスプレイに各スイッチ内容を表示することで、ユーザによるスイッチ操作を分かり易くした車両用スイッチ制御装置が知られている。この装置によれば、ユーザによるスイッチの選択操作を支援するために、画像表示が行われている（例えば特許文献１参照）。
【特許文献１】特開２００３−３１３２８９号公報
【発明の開示】
【発明が解決しようとする課題】
【０００３】
しかしながら、従来装置では、未だ画像表示が適切と言えず、スイッチの操作支援について向上の余地がある。例えば、従来技術においてスイッチがタッチパネル式と機械式のスイッチとからなる場合、タッチパネル操作と機械式スイッチの操作との双方が容易となるように画像表示が行われることとなる。ところが、主としてタッチパネル操作のみを行うユーザにとっては、機械式スイッチの操作に関する画像表示が不要であり、画像表示が適切と言えず、スイッチの操作支援に支障を来しかねない。また、主として機械式スイッチの操作のみを行うユーザにとっても同様に、画像表示が適切と言えず、スイッチの操作支援に支障を来しかねない。
【０００４】
このように、従来装置では、未だ画像表示が適切と言えず、スイッチの操作支援について向上の余地がある。なお、これは、タッチパネル式と機械式のスイッチとを備える表示装置にのみ発生する問題ではなく、スイッチ手段が複数設けられている表示装置において共通する問題点である。
【０００５】
本発明はこのような従来の課題を解決するためになされたものであり、その目的とするところは、画像表示を適切に行ってスイッチ操作支援の性能を向上させることが可能な表示装置及びその表示制御方法を提供することにある。
【課題を解決するための手段】
【０００６】
本発明の表示装置は、ユーザからの操作により、ディスプレイに表示される各表示項目のいずれかの選択を受け付けるものである。この表示装置は、ユーザからの操作を複数の操作手段により受け付け、操作検出手段により、複数の操作手段のいずれに対しユーザからの操作があったかを検出する構成となっている。また、表示装置は、判定手段により、過去から現在にかけて操作検出手段により検出されたユーザからの操作に基づいて、複数の操作手段それぞれに対する操作頻度を判定するようになっている。さらに、表示装置は、判定手段による判定結果に応じて、表示制御手段が各表示項目の少なくとも１つの表示方法を変更してディスプレイに表示させることとなる。
【発明の効果】
【０００７】
本発明によれば、複数の操作手段のいずれに対しユーザからの操作があったかを検出し、その操作頻度を検出するため、例えばタッチパネルが多く操作されているなどの情報を検出できることとなる。
【０００８】
そして、操作頻度の判定結果に応じて、各表示項目の少なくとも１つの表示方法を変更してディスプレイに表示させるため、ユーザの操作に応じた表示方法に変更することが可能となり、例えばタッチパネルを多く操作するユーザに対してはタッチパネル操作をし易いように画像表示するなど、適切な画像表示を行えることとなる。
【０００９】
従って、画像表示を適切に行ってスイッチ操作支援の性能を向上させることができる。
【発明を実施するための最良の形態】
【００１０】
以下、本発明の好適な実施形態を図面に基づいて説明する。なお、各図において、同一又は同様の要素には同一の符号を付して説明を省略する。
【００１１】
図１は、本発明の実施形態に係る表示装置の構成図である。同図に示すように、表示装置１は、ユーザからの操作により、ディスプレイ１０に表示される各表示項目のいずれかの選択を受け付けるものであって、好適には車両に搭載されてナビゲーション装置として用いられるものである。
【００１２】
ここで、表示装置１の詳細構成を説明するに先立って、ディスプレイ１０の表示例を説明する。図２は、表示装置１がナビゲーション装置として用いられる場合におけるディスプレイ１０の表示例を示す説明図である。
【００１３】
本装置１では、ディスプレイ１０に複数の表示項目１０１が表示される。ここで、表示項目１０１とは、ユーザにより選択可能な表示であって、例えば図２にあっては目的地を選択するための表示をいう。すなわち、図２に示す例において、目的地選択する表示項目１０１として「自宅に帰る」「登録地から」「周辺施設から」「ジャンルから」及び「５０音、電話ほか」がディスプレイ１０に表示される。
【００１４】
また、表示項目１０１は、図２に示す例において目的地を選択するための表示に限らず、画面表示を切り替えて新たな表示項目を表示させるための表示についても含まれるものである。すなわち、図２に示す例において、新たな表示項目を表示させるための表示項目１０１として、「前へ」及び「次へ」がディスプレイ１０に表示される。
【００１５】
次に、表示装置１の詳細構成を図１を参照して説明する。図１に示すように、表示装置１は、複数の操作部（複数の操作手段）２０及びコントローラ３０を備えている。
【００１６】
複数の操作部２０は、ユーザからの操作を受け付けるものであって、タッチパネルＳＷ（タッチパネルスイッチ）２１、８方向ＳＷ（多方向スイッチ）２２、ダイヤルＳＷ（ダイヤル式操作スイッチ）２３、及び決定ＳＷ２４からなっている。
【００１７】
タッチパネルＳＷ２１は、ディスプレイ１０の画面上に設けられ、表示項目１０１と重なる部分が押圧されることによりその表示項目１０１を選択可能なスイッチである。すなわち、図２に示す例において、ユーザは、例えば「自宅に帰る」の部分に触れることにより、「自宅に帰る」の表示項目１０１を選択できることとなる。
【００１８】
また、８方向ＳＷ２２、ダイヤルＳＷ２３及び決定ＳＷ２４は、機械式のスイッチである。ここで、図３を参照してこれらＳＷ２２〜２４について詳細に説明する。図３は、８方向ＳＷ２２、ダイヤルＳＷ２３及び決定ＳＷ２４の詳細構成図である。同図に示すように、８方向ＳＷ２２は、押圧操作により画面上に表示される選択カーソル１０２を移動させて表示項目１０１を選択可能なスイッチである。このため、図２に示す例において、ユーザは、８方向ＳＷ２２の下ボタンを押下することにより、「自宅に帰る」に位置する選択カーソル１０２を「登録地から」に移動させることができることとなる。
【００１９】
また、図３に示すように、決定ＳＷ２４は、押圧操作されることで選択カーソル１０２が位置する表示項目１０１を選択するためのスイッチである。従って、ユーザは、８方向ＳＷ２２の下ボタンを押下して「自宅に帰る」に位置する選択カーソル１０２を「登録地から」に移動させた後に、決定ＳＷ２４を押下することで、「登録地から」の表示項目１０１を選択することができることとなる（図２）。
【００２０】
また、図３に示すように、ダイヤルＳＷ２３は、時計回り及び反時計回りに操作可能であって、回転操作により画面表示を切り替えて新たな表示項目を表示させる操作が可能なスイッチである。従って、ユーザは、ダイヤルＳＷ２３を時計回り又は反時計回りに操作して、画面表示を切り替え、「走行履歴から」などの表示項目１０１を画面表示させることができることとなる（図２）。
【００２１】
再度、図１を参照する。コントローラ３０は、本装置全体の制御を行うものであって、ＣＰＵ（操作検出手段、判定手段、表示制御手段）３１、ＲＯＭ３２、及びＲＡＭ３３を備えている。
【００２２】
ＣＰＵ３１は、上記の複数の操作部２０のいずれに対し、ユーザから操作があったかを検出する操作検出機能を有している。具体的にＣＰＵ３１は、複数の操作部２０から送信される操作信号を受信し、受信した操作信号からいずれのＳＷ２１〜２４に操作があったかを検出する構成となっている。
【００２３】
また、ＣＰＵ３１は、過去から現在にかけて操作検出機能により検出されたユーザからの操作に基づいて、複数の操作部２０それぞれに対する操作頻度を判定する判定機能を有している。例えば、ＣＰＵ３１は、過去の１００回の操作において、タッチパネルＳＷ２１に９０回の操作があり、８方向ＳＷ２２に５回の操作があり、ダイヤルＳＷ２３には操作が無く、決定ＳＷ２４に５回の操作があったなどの操作頻度を判定することとなる。また、ＣＰＵ３１は、操作頻度を判定すると、その情報をＲＡＭ３３に送信して記憶させる機能についても有している。
【００２４】
さらに、ＣＰＵ３１は、判定機能による判定結果に応じて、各表示項目１０１の少なくとも１つの表示方法を変更してディスプレイ１０に表示させる表示制御機能を有している。例えば、上記の如く過去の１００回の操作において、タッチパネルＳＷ２１に９０回の操作があるような場合、ユーザは主としてタッチパネルＳＷ２１を操作しており、他のＳＷ２２〜２４の操作に関する画像表示は不要といえる。このため、ＣＰＵ３１は、表示制御機能により、表示項目１０１の少なくとも１つの表示方法を変更してタッチパネルＳＷ２１の操作に適した画像表示とし、その画像をディスプレイ１０に表示させることとなる。
【００２５】
なお、上記ＲＯＭ３２には、操作検出機能などを実行するためのプログラムが格納されている。
【００２６】
また、本実施形態において表示装置１は、ナビゲーション装置として用いられるため、上記の他に、ＧＰＳアンテナ４０、車速センサ５０、ジャイロセンサ６０、ＤＶＤ−ＲＯＭ７０、及びスピーカ８０を備えている。そして、表示装置１は、ＧＰＳアンテナ４０により電波を受信して自車位置を求め、また車速センサ５０及びジャイロセンサ６０により電波不受信時において自律航法による自車位置を求め、この自車位置の情報とＤＶＤ−ＲＯＭ７０に記憶される地図情報とをディスプレイ１０を通じてユーザに提供することで、ナビゲーションを行うようになっている。この際、ＣＰＵ３１は、自車の現在位置から目的地までの経路を探索し、ディスプレイ１０及びスピーカ８０を通じて経路をユーザに提供することとなる。
【００２７】
さらに、上記表示装置１は、車室内カメラ９０を備えている。この車室内カメラ９０は、乗員の顔を撮像するものであって、撮像データをコントローラ３０に送信する構成となっている。また、ＣＰＵ３１は、上記機能の他にユーザ検出機能を有しており、表示装置１を使用しているユーザを検出できるようになっている。このとき、ＣＰＵ３１は、ユーザの顔を撮像した撮像データから眼鼻や眉などの特徴的部分のデータを抽出して予めＲＡＭ３３に記憶させておく。その後、ＣＰＵ３１は、ユーザの顔が撮像されると撮像データから眼鼻や眉などの特徴的部分のデータを抽出し、過去に記憶したデータのいずれと合致するかを判断することによって、ユーザを特定することとなる。
【００２８】
次に、本実施形態に係る表示装置１の表示制御方法について説明する。まず、ＣＰＵ３１は、操作検出機能によって、複数の操作部２０のいずれに対しユーザからの操作があったかを検出する。
【００２９】
その後、ＣＰＵ３１は、過去から現在にかけて検出されたユーザからの操作に基づいて、複数の操作部２０それぞれに対する操作頻度を判定する。すなわち、ＣＰＵ３１は、ＲＡＭ３３に記憶された前回操作までの操作頻度の情報を読み込み、今回操作された操作部２０の情報と結合して、新たな操作頻度の情報を求める。また、ＣＰＵ３１は、新たな操作頻度の情報をＲＡＭ３３に記憶させる。
【００３０】
次に、ＣＰＵ３１は、判定機能により操作頻度の情報を判定する。すなわち、タッチパネルＳＷ２１の操作頻度が所定頻度以上であるかを判定したり、ダイヤルＳＷ２３の操作頻度が所定頻度以上であるかを判定したりする。次いで、ＣＰＵ３１は、表示制御機能によって、どのような表示方法が適しているかを判定結果から判断し、適した表示方法にてディスプレイ１０に表示させる。
【００３１】
具体的に説明する。第１にＣＰＵ３１は、判定機能によりダイヤルＳＷ２３の操作頻度が所定頻度以上であると判定した場合、表示方法を切り替える。すなわち、ＣＰＵ３１の表示制御機能は、画面表示を切り替えて新たな表示項目を表示させるための表示項目１０１を、ダイヤルＳＷ２３の操作頻度が所定頻度未満であると判定されたときよりも、強調表示する。
【００３２】
図４は、強調表示の一例を示す説明図である。同図に示すように、ＣＰＵ３１は、画面表示を切り替えて新たな表示項目を表示させるための表示項目１０１である「前へ」及び「次へ」について、文字の周囲を囲むようにして表示している。これにより、ダイヤルＳＷ２３の操作を多く行うユーザにとっては、見えやすい画像表示となり、スイッチ操作支援の性能が向上することとなる。
【００３３】
なお、強調表示としては、図４に示す例に限らず、例えば「前へ」及び「次へ」が大きく表示されたり、周囲とは異なる色を付されたりする形式であってもよい。また、ダイヤルＳＷ２３の時計回り及び反時計回りの操作のうち、一方のみの回転操作が多い場合には、その一方に対応する表示項目（すなわち「前へ」及び「次へ」のうち一方）１０１のみを強調表示するようにしてもよい。
【００３４】
第２にＣＰＵ３１は、判定機能によりタッチパネルＳＷ２１の操作頻度が所定頻度以上であると判定した場合にも、表示方法を切り替える。すなわち、ＣＰＵ３１の表示制御機能は、ディスプレイ１０により表示される各表示項目１０１を、タッチパネルＳＷ２１の操作頻度が所定頻度未満であると判定されたときよりも、大きく表示させる。
【００３５】
図５は、表示方法を変更したときの表示例を示す説明図である。同図に示すように、ＣＰＵ３１は、タッチパネルＳＷ２１の操作頻度が所定頻度以上であると判定した場合、各表示項目１０１を大きく表示させる。これにより、タッチパネルＳＷ２１による操作を容易にし、スイッチ操作を支援することとしている。
【００３６】
ここで、図５に示す例においてＣＰＵ３１は、タッチパネルＳＷ２１の操作時には不要となる選択カーソル１０２を消去することとし、タッチパネルＳＷ２１を多く操作するユーザにとって表示内容が一層見え易いようにしている。
【００３７】
このように、表示装置１は、ユーザが操作し易いように適切な表示を行うこととしている。なお、本実施形態では、車室内カメラ９０によりユーザを撮像してユーザを検出するため、ユーザ毎に上記した表示制御方法が実行されるのは言うまでもない。すなわち、ＣＰＵ３１は、操作検出機能によって、ユーザ毎に複数の操作部２０のいずれに対し操作があったかを検出することとなる。また、ＣＰＵ３１は、判定手段によってユーザ毎に操作頻度を判定し、表示制御機能によってユーザ毎の操作頻度に応じて表示方法を変更してディスプレイ１０に表示させることとなる。
【００３８】
また、ユーザによっては、図４及び図５のように表示方法が変更されてしまうことを望まないこともあり得る。よって、本実施形態では、スピーカ８０からユーザに対し表示方法を変更してもよいか報知し、ユーザからの同意操作があったことを条件に変更表示させることとしている。
【００３９】
次に、本実施形態に係る表示装置１の表示制御方法についてフローチャートを参照して説明する。図６は、本実施形態に係る表示装置１の表示制御方法を示すフローチャートである。
【００４０】
同図に示すように、ＣＰＵ３１は、まず、アクセサリスイッチがオンされたか否かを判断する（ＳＴ１０）。アクセサリスイッチがオンされていない場合（ＳＴ１０：ＮＯ）、アクセサリスイッチがオンされるまで、この処理が繰り返される。
【００４１】
一方、アクセサリスイッチがオンされた場合（ＳＴ１０：ＹＥＳ）、ＣＰＵ３１は表示形式が設定済であるか否かを判断する（ＳＴ１１）。ここで、本装置１が初めて起動された場合など、表示形式が設定されていない場合（ＳＴ１１：ＮＯ）、ＣＰＵ３１は、表示形式を初期状態に設定する（ＳＴ１２）。この初期の表示形式とは、例えば図２に示したような画像表示をいう。このため、ＣＰＵ３１は、ユーザにとって適した表示形式であるか否かに関わらず、まずは図２に示すような初期の表示形式を設定することとなる。そして、ＣＰＵ３１は、表示制御機能により初期の表示形式をディスプレイ１０に表示させることとなる（ＳＴ１８）。
【００４２】
他方、本装置１が過去に使用されて表示形式が既に設定されている場合（ＳＴ１１：ＹＥＳ）、ＣＰＵ３１は、ＲＡＭ３３から操作履歴を読み込む（ＳＴ１３）。そして、ＣＰＵ３１は、操作信号を待つ待機状態に移行する（ＳＴ１４）。ここで、操作信号が入力されない場合（ＳＴ１４：ＮＯ）、ＣＰＵ３１は、複数の操作部２０のうちいずれかが操作されて操作信号が入力されるまで、この処理を繰り返すこととなる（ＳＴ１４：ＮＯ）。
【００４３】
一方、複数の操作部２０のうちいずれかが操作され、操作信号が入力してきた場合（ＳＴ１４：ＹＥＳ）、ＣＰＵ３１は、操作検出機能により、複数の操作部２０のうちいずれが操作されたか否かを検出する。そして、ＣＰＵ３１は、操作履歴の情報と検出した今回の操作情報と結合して、新たな操作履歴を作成する。次に、ＣＰＵ３１は、作成した新たな操作履歴をＲＡＭ３３に記憶させて、操作履歴を更新する（ＳＴ１５）。
【００４４】
更新後、ＣＰＵ３１は、判定機能により操作履歴の情報を解析して操作頻度を判定する（ＳＴ１６）。次いで、ＣＰＵ３１は、表示制御機能により、操作頻度に応じた表示形式を設定する（ＳＴ１７）。このとき、ＣＰＵ３１は、例えば図４及び図５に示したような表示方法を変更する。
【００４５】
変更後、ＣＰＵ３１は、変更後の表示方法により各表示項目１０１をディスプレイ１０に表示させる。そして、ＣＰＵ３１は、アクセサリスイッチがオフされているか否かを判断し（ＳＴ１９）、オフされている場合には（ＳＴ１９：ＹＥＳ）、処理を終了することとなる。他方、オフされていない場合には（ＳＴ１９：ＮＯ）、ステップＳＴ１１に戻り、上記と同様にして処理を繰り返すこととなる。
【００４６】
このようにして、本実施形態に係る表示装置１及びその表示制御方法によれば、複数の操作部２０のいずれに対しユーザからの操作があったかを検出し、その操作頻度を検出するため、例えばタッチパネルＳＷ２１が多く操作されているなどの情報を検出できることとなる。
【００４７】
そして、操作頻度の判定結果に応じて、各表示項目１０１の少なくとも１つの表示方法を変更してディスプレイ１０に表示させるため、ユーザの操作に応じた表示方法に変更することが可能となり、例えばタッチパネルＳＷ２１を多く操作するユーザに対してはタッチパネル操作をし易いように画像表示するなど、適切な画像表示を行えることとなる。
【００４８】
従って、画像表示を適切に行ってスイッチ操作支援の性能を向上させることができる。
【００４９】
また、ダイヤルＳＷ２３の操作頻度が所定頻度以上であると判定された場合、新たな表示項目を表示させるための表示項目（「前へ」や「次へ」など）１０１を強調表示するので、他の表示項目１０１が目立たなくなる。このため、ダイヤルＳＷ２３の操作を多く行うユーザにとっては、見えやすい画像表示となり、操作しやすくなる。従って、スイッチ操作支援の性能が向上することとなる。
【００５０】
また、タッチパネルＳＷ２１の操作頻度が所定頻度以上であると判定された場合、ディスプレイ１０により表示される各表示項目１０１を大きくするので、タッチパネルＳＷ２１の操作を多く行うユーザにとっては、表示項目１０１が見えやすくなると共に、表示項目１０１の選択がし易くなる。従って、スイッチ操作支援の性能が向上することとなる。
【００５１】
また、表示項目１０１の表示方法を変更するにあたり、ユーザからの同意を条件としているので、ユーザにとって望まない表示変更を防止することができる。
【００５２】
また、ユーザを検出して、ユーザ毎に表示項目１０１の表示方法を変更してディスプレイ１０に表示させるので、例えばユーザが１人と定まっていない車両等に本装置１を搭載する場合には、ユーザ毎に適した表示が行われることとなり、一層の利便性の向上を図ることができる。
【００５３】
以上、実施形態に基づき本発明を説明したが、本発明は上記実施形態に限られるものではなく、本発明の趣旨を逸脱しない範囲で、変更を加えてもよい。例えば、上記実施形態では、８方向ＳＷ２２が用いられているが、特に８方向に限らず、十字キーなどであってもよい。
【００５４】
また、本実施形態の表示装置１は、タッチパネルＳＷ２１、８方向ＳＷ２２及びダイヤルＳＷ２３のすべてを有しているが、これらすべてを有する場合に限らず、少なくとも２つを有するように構成してもよい。さらには、タッチパネルＳＷ２１、８方向ＳＷ２２及びダイヤルＳＷ２３以外の複数の操作部を有するように構成してもよい。
【図面の簡単な説明】
【００５５】
【図１】本発明の実施形態に係る表示装置の構成図である。
【図２】表示装置がナビゲーション装置として用いられる場合におけるディスプレイの表示例を示す説明図である。
【図３】８方向ＳＷ、ダイヤルＳＷ及び決定ＳＷの詳細構成図である。
【図４】強調表示の一例を示す説明図である。
【図５】表示方法を変更したときの表示例を示す説明図である。
【図６】本実施形態に係る表示装置の表示制御方法を示すフローチャートである。
【符号の説明】
【００５６】
１…表示装置
１０…ディスプレイ
２０…複数の操作部（複数の表示手段）
２１…タッチパネルＳＷ（タッチパネルスイッチ）
２２…８方向ＳＷ（多方向スイッチ）
２３…ダイヤルＳＷ（ダイヤル式操作スイッチ）
３０…コントローラ
３１…ＣＰＵ（操作検出手段、判定手段、表示制御手段、ユーザ検出手段）
１０１…表示項目
１０２…選択カーソル
【図１】
2006011937.tif 000003
【図２】
2006011937.tif 000004
【図３】
2006011937.tif 000005
【図４】
2006011937.tif 000006
【図５】
2006011937.tif 000007
【図６】
2006011937.tif 000008